(57)【要約】  【課題】  タイマ記録機能が付いた記録再生装置の待機電力を削減する。  【解決手段】  時刻管理回路１０５は、タイマ予約入力時に基準時刻信号１０３ｃを起点として時刻の計測を開始し、タイマ予約終了時まで時刻の計測を行う。タイマ予約終了時、もしくはタイマ予約されていない場合は、時刻管理停止信号Ｓ１０３ｄにより、時刻管理回路１０５は電源を供給したまま、クロックを停止することにより時刻の計測を停止し、待機電力を削減する【選択図】  図１ 
2004343742.tif 000002
【特許請求の範囲】
【請求項１】
動作時間が規定された予約動作を入力する工程と、
入力信号から基準時刻信号を取得する工程と、
全ての予約動作が終了した場合には、予約動作を制御する回路への電源供給は続け、かつクロックは停止させる工程と、
を含む予約動作制御方法。
【請求項２】
動作時間が規定された予約動作を入力する工程と、
入力信号から基準時刻信号を取得する工程と、
全ての予約動作が終了した場合には、基準時刻取得可能／不可を確認する工程と、
予約動作を制御する回路への電源供給は続けながら、前記確認結果が可能の場合はクロックを停止させる工程と、
を含む予約動作制御方法。
【請求項３】
前記基準時刻信号の取得中にはその旨をユーザーに通知するための信号を出力する工程をさらに含む請求項１または請求項２に記載の予約動作制御方法。
【請求項４】
動作時間が規定された予約動作を入力する手段と、
入力信号から基準時刻信号を取得する手段と、
全ての予約動作が終了した場合には、予約動作を制御する回路への電源供給は続け、かつクロックは停止させる手段と、
を含む予約動作制御装置。
【請求項５】
動作時間が規定された予約動作を入力する手段と、
入力信号から基準時刻信号を取得する手段と、
全ての予約動作が終了した場合には、基準時刻取得可能／不可を確認する手段と、
予約動作を制御する回路への電源供給は続けながら、前記確認結果が可能の場合はクロックを停止させる手段と、
を含む予約動作制御装置。
【請求項６】
前記基準時刻信号の取得中にはその旨をユーザーに通知するための信号を出力する手段をさらに含む請求項４または請求項５に記載の予約動作制御装置。
【請求項７】
記録媒体に信号を記録する記録手段と、
基準時刻信号を入力し、入力された前記基準時刻信号を起点として時刻情報を計測する時刻管理手段と、
前記記録手段が動作する期間を設定し、前記時刻管理手段が計測した時刻情報を用いて、設定された前記期間の間、前記記録手段の記録を行う制御手段と、
を含む記録再生装置において、
前記制御手段が前記時刻情報を用いる時は、前記時刻管理手段の時刻計測を動作させ、前記記録手段が前記時刻情報を用いない時は、前記時刻管理手段の時刻計測を停止させ、
時刻計測の停止は、時刻管理手段、あるいは時刻管理手段と制御手段の双方に供給されるクロックを停止し、電源は供給することを特徴とする記録再生装置。
【請求項８】
時刻情報を用いる時は、記録時、タイマ記録予約時およびタイマ記録時であることを特徴とする請求項７記載の記録再生装置。
【請求項９】
記録媒体に信号を記録する記録手段と、
基準時刻信号を入力し、入力された前記基準時刻信号を起点として時刻情報を計測する時刻管理手段と、
前記記録手段が動作する期間を設定し、前記時刻管理手段が計測した時刻情報を用いて、設定された前記期間の間、前記記録手段の記録を行う制御手段と、
を含む記録再生装置において、
前記記録再生装置の電源オン時に、前記時刻管理手段は前記基準時刻信号を収得し、収得した前記基準時刻信号を起点として時刻情報の計測を開始し、前記記録再生装置の電源オフ時には、タイマ記録予約時およびタイマ記録時を除いて、前記時刻管理手段の時刻情報の計測を停止し、
時刻情報の計測を停止は、時刻管理手段、あるいは時刻管理手段と制御手段の双方に供給されるクロックを停止し、電源は供給することを特徴とする記録再生装置。
【請求項１０】
記録媒体に信号を記録する記録手段と、
基準時刻信号を入力し、入力された前記基準時刻信号を起点として時刻情報を計測する時刻管理手段と、
前記記録手段が動作する期間を設定し、前記時刻管理手段が計測した時刻情報を用いて、設定された前記期間の間、前記記録手段の記録を行う制御手段と、
を含む記録再生装置において、
前記記録再生装置の電源オン時に、前記時刻管理手段の時刻情報の計測が停止している
場合は、前記基準時刻信号を収得し、収得した前記基準時刻信号を起点として時刻情報の計測を開始し、
前記記録再生装置の電源オフ時でかつ低待機電力モードが設定されている時には、タイマ記録予約時およびタイマ記録時を除いて、前記時刻管理手段の時刻情報の計測を停止し、
時刻情報の計測を停止は、時刻管理手段、あるいは時刻管理手段と制御手段の双方に供給されるクロックを停止し、電源は供給することを特徴とする記録再生装置。
【請求項１１】
基準時刻信号は、基地局から送られてくる時間情報付き信号であるＥＰＧ（Ｅｌｅｃｔｒｉｃ  Ｐｒｏｇｒａｍ  Ｇｕｉｄｅ）信号から現在時刻の情報を取り出して作成した時刻信号であることを特徴とする請求項７、請求項９、あるいは請求項１０記載の記録再生装置。
【発明の詳細な説明】
【技術分野】
【０００１】
本発明は、月、日、時、分を指定できるタイマ記録機能の付いた記録再生装置に関する。
【背景技術】
【０００２】
従来、ビデオテープレコーダーなどの記録再生装置では、ユーザーが所定の時刻に直接操作して記録ができない場合などのために、内部に時刻管理回路を備え、時刻管理回路で時刻を常時計測し、時刻管理回路が指定した時間を示すと自動的に記録を行うという、タイマ記録機能を備えている
【発明の開示】
【発明が解決しようとする課題】
【０００３】
この記録再生装置においては近年特に、待機時の消費電力を削減するさまざまな工夫が行われている。しかし、上記従来の構成では、月、日、時、分のような時刻を計測する為に、時刻管理回路を常に動作させなければならないので、待機電力の増大を招いていた。
【課題を解決するための手段】
【０００４】
上記課題を解決するために、第１の発明の記録再生装置は、記録媒体に信号を記録する記録手段と、
基準時刻信号を入力して時刻を設定し、時刻を計測する時刻管理手段と、
前記記録手段が動作する期間を定め、前記時刻管理手段の時刻情報に基づき、前記記録手段の記録動作・停止を行う制御手段とを備える記録再生装置において、前記制御手段が前記時刻情報を用いる時は、前記時刻管理手段の時刻計測を動作させ、前記記録手段が前記時刻情報を用いない時は、前記時刻管理手段の時刻計測を停止させ、
時刻計測の停止は、時刻管理手段、あるいは時刻管理手段と制御手段の双方に供給されるクロックを停止するものである。【０００５】
また、上記課題を解決するために、第２の発明の記録再生装置は、第１の発明の記録再生装置において、タイマ記録時に時刻情報を用いるようにしたものである。【０００６】
また、上記課題を解決するために、第３の発明の記録再生装置は、記録媒体に信号を記録する記録手段と、基準時刻信号を入力して時刻を設定し、時刻を計測する時刻管理手段と、前記記録手段が動作する期間を定め、前記時刻管理手段の時刻情報に基づき、前記記録手段の記録動作・停止を行う制御手段とを備える記録再生装置において、前記記録再生装置の電源オン時に、前記時刻管理手段は時刻情報の計測を開始し、前記記録再生装置の電源オフ時には、タイマ記録予約時およびタイマ記録時を除いて、前記時刻管理手段の時刻情報の計測を停止し、
時刻情報の計測を停止は、時刻管理手段、あるいは時刻管理手段と制御手段の双方に供給されるクロックを停止するものである。【０００７】
また、上記課題を解決するために、本発明の第４の発明の記録再生装置は、記録媒体
に信号を記録する記録手段と、基準時刻信号を入力して時刻を設定し、時刻を計測する時刻管理手段と、前記記録手段が動作する期間を定め、前記時刻管理手段の時刻情報に基づき、前記記録手段の記録動作・停止を行う制御手段と、電源オフ時の待機電力が低減できる低待機電力モードを備える記録再生装置において、前記記録再生装置の電源オン時に、前記時刻管理手段は時刻情報の計測を開始し、前記記録再生装置の電源オフ時で、かつ、低待機電力モードが設定されている場合には、タイマ記録予約時およびタイマ記録時を除いて、前記時刻管理手段の時刻情報の計測を停止し、
時刻情報の計測を停止は、時刻管理手段、あるいは時刻管理手段と制御手段の双方に供給されるクロックを停止するものである。
【発明の効果】
【０００８】
本発明では、タイマ機能付き記録再生装置において、電源ＯＦＦ時や低待機電力モード時には時刻管理機能の時刻の計測を停止さているので、待機電力の低減が実現でき、また、タイマ予約までに、外部から時刻情報を収得して時刻管理機能の時刻の計測を開始しているので、月、日、時、分のような時刻を指定するタイマ予約が実現でき、タイマ予約と待機電力の削減の両立という効果が得られる。【０００９】
さらに、制御回路の停止も行えるので、いっそうの待機電力の削減ができるという効果が得られる。【００１０】
また、後述の実施形態３によると電源ＯＮ時に基準時刻信号が確実に取れる可能性が高まるという効果も得られる。
【発明を実施するための最良の形態】
【００１１】
（実施の形態１）
本発明の実施の形態１について図１〜４を用いて説明する。【００１２】
図１は、本発明の実施の形態１に係わる記録再生装置のブロック図である。各ブロックについて説明する。【００１３】
１００は本発明の実施の形態１に係わる記録再生装置の本体である。記録再生装置としては、ＶＴＲ，ＤＶＤ−ＲＡＭ，ＭＤ等、あるいは、それらを含んだ機器で、映像や音声等を記録再生する機器である。【００１４】
１０１は使用者のキー入力により所望のキー入力命令Ｓ１０１を出力するキー入力回路である。【００１５】
１０２はリモコン受信回路で、図示しないリモコンから送出される信号を受信し、リモコン入力命令Ｓ１０２を出力する。【００１６】
１０３は制御回路であり、キー入力命令Ｓ１０１あるいはリモコン入力命令Ｓ１０２より、記録再生部制御信号Ｓ１０３ａを作製し、後述の記録再生部１０４の操作を行う。【００１７】
また、制御回路１０３は、キー入力命令Ｓ１０１あるいはリモコン入力命令Ｓ１０２より所望のタイマ予約情報を得、タイマ予約時刻情報Ｓ１０３ｂを用いて、後述の時刻管理回路１０５のタイマ予約の時刻設定や解除を行う。【００１８】
制御回路１０３では、基準時刻信号を含む信号Ｓ１０６から基準時刻信号Ｓ１０３ｃを抽出し、時刻管理回路１０５の時刻計測に用いる。【００１９】
基準時刻信号を含む信号Ｓ１０６の例としては、例えばＥＰＧすなわち基地局から送られてくる時間情報付き信号や、ｉ−ｍｏｄｅ（Ｒ）すなわちリクエストに応じて電話回線あるいはインターネットを通して情報を提供するサービスの信号などが挙げられる。また、基準時刻信号Ｓ１０３ｃは、リモコン入力命令Ｓ１０２から作られても良い。【００２０】
１０４は記録再生部であり、図示しないメディアの記録再生を行う。記録再生部制御信号Ｓ１０３ａにより、再生、記録、停止等の動作が行われる。【００２１】
１０５は時刻管理回路であり、カウント動作を行い、基準時刻信号Ｓ１０３ｃを起点に時刻を計測する。【００２２】
また、タイマ予約時はタイマ予約時刻情報Ｓ１０３ｂで設定された予約時刻と計測した時刻が一致すると、タイマ動作制御信号Ｓ１０５を出力し、制御回路１０３は、記録再生部制御信号Ｓ１０３ａによって記録再生部１０４の制御を行う。【００２３】
タイマ予約が終了すると、制御回路１０３から出力される時刻管理停止信号Ｓ１０３ｄにより時刻管理回路１０５の動作クロックを停止し、時刻管理回路１０５は時刻計測を停止する。【００２４】
以上のように構成された記録再生装置について、図２〜図４に示すフロー図によりその動作を説明する。【００２５】
図２は、記録再生装置１００が使用者からの命令を受け付け、実行するフローを抜き出したものである。【００２６】
ステップＦ１０１では、使用者がキー入力回路１０１あるいはリモコンを用いて、再生、記録、タイマ予約等の命令を入力し、キー入力回路１０１あるいはリモコン受信回路１０２でキー入力命令Ｓ１０１あるいはリモコン入力命令Ｓ１０２を出力する。【００２７】
ステップＦ１０２で制御回路１０３は、キー入力命令Ｓ１０１あるいはリモコン入力命令Ｓ１０２を受け付け、入力された命令に従い、記録再生部制御信号Ｓ１０３ａ、タイマ予約時刻情報Ｓ１０３ｂ等を出力し、入力された命令を実行する。【００２８】
なお、ステップＦ１０２で実行される各種動作には、電源ＯＮ、電源ＯＦＦ、記録、再生、停止、タイマ予約、各種設定等が有る。【００２９】
図３は、図２における命令入力Ｆ１０１がタイマ予約の場合についての入力命令による各種動作実行Ｆ１０２のフローである。【００３０】
ステップＦ１１２で、後述する基準時刻信号収得処理を開始する。基準時刻信号収得処理と平行して、ステップＦ１１３の予約時刻の設定を行う。予約時刻の設定は、タイマ予約時刻情報Ｓ１０３ｂを時刻管理回路１０５に設定することにより行う。設定を行う予約時刻は複数予約できるものとする。【００３１】
ステップＦ１１４では、平行して行われている基準時刻信号収得処理の終了の有無が確認され、終了していない場合は終了するまでステップＦ１１４が繰り返される。基準時刻信号収得処理では、時刻管理回路１０５は時刻計測を開始する。信号収得処理の終了が確認されれば、タイマ予約の終了(ステップＦ１１５)となる。【００３２】
なお、ステップＦ１１４を繰り返す場合は、基準時刻情報を収得できない旨あるいは基準時刻情報の収得を促す旨をＯＳＤ（Ｏｎ Ｓｃｒｅｅｎ  Ｄｉｓｐｌａｙ）あるいはアラーム音にて使用者に対して通知する。【００３３】
ステップＦ１１６では、タイマ予約時刻情報Ｓ１０３ｂで設定された予約時刻と計測した時刻が一致すると、タイマ動作制御信号Ｓ１０５を出力し、制御回路１０３は、記録再生部制御信号Ｓ１０３ａによって記録再生部１０４の記録、停止を行う。【００３４】
ステップＦ１１７では、全予約が完了するまで、ステップＦ１１６を繰り返す。【００３５】
ステップＦ１１８では、全予約が完了されたのを受けて、時刻管理回路１０５は時刻管理停止信号Ｓ１０３ｄを受け取り、時刻計測を停止する。【００３６】
図４は、図３のタイマ予約時に行われる基準時刻信号収得処理のフローである。【００３７】
ステップＦ１２２で、時刻管理回路１０５は基準時刻信号Ｓ１０３ｃを収得する。基準時刻信号を含む信号Ｓ１０６に基準時刻情報が含まれていない間や、基準時刻信号を含む信号Ｓ１０６が入力されていない間、もしくは、キー入力回路１０１やリモコン受信回路１０２からのキー入力命令Ｓ１０１あるいはリモコン入力命令Ｓ１０２に基準時刻情報が含まれず、基準時刻信号Ｓ１０３ｃが収得できない間、ステップＦ１２２を繰り返す。【００３８】
基準時刻信号を含む信号Ｓ１０６、キー入力命令Ｓ１０１あるいはリモコン入力命令Ｓ１０２より、基準時刻信号Ｓ１０３ｃを得られた場合は、ステップＦ１２３で、基準時刻信号Ｓ１０３ｃを起点として、時刻管理回路１０５は時刻計測を開始し、基準時刻信号収得処理を終了する(ステップＦ１２４)。【００３９】
図２〜図４に示すフローに基づけば、時刻計測が、タイマ予約時のみなので、電源ＯＦＦ時の待機電力を低減できる。【００４０】
また、以上の説明では、タイマ記録を除いて時刻管理回路１０５の時刻計測を停止させる例で説明したが、通常の記録や再生時に時刻管理回路１０５の時刻計測を行う構成でも同様の効果が得られる。【００４１】
また、以上の説明では、時刻管理回路１０５を用いて動作する回路が記録再生部１０４である場合について説明したが、記録再生部以外の回路についても同様の効果が得られる。【００４２】
また、以上の説明では、記録再生装置１００である場合について説明したが、記録再生装置以外でも、基準時刻信号Ｓ１０３ｃが必要に応じて得られ、時刻管理回路１０５の時刻計測を常時行う必要の無い装置であれば、同様の効果が得られる。【００４３】
（実施の形態２）
本発明の実施の形態２について図２、図５〜９を用いて説明する。【００４４】
図５は、本発明の実施の形態２および、本発明の実施の形態３に係わる記録再生装置のブロック図である。各ブロックについて本発明の実施の形態１と異なる点についてのみ説明する。【００４５】
２００は本発明の実施の形態２および実施の形態３に係わる記録再生装置の本体である。記録再生装置としては、実施の形態１と同様、ＶＴＲ，ＤＶＤ−ＲＡＭ，ＭＤ等、あるいは、それらを含んだ機器で、映像や音声等を記録再生する機器である。【００４６】
２０３は制御回路であり、実施の形態１と同様、キー入力命令Ｓ１０１、リモコン入力命令Ｓ１０２あるいは基準信号を含む信号Ｓ２０６より、記録再生部制御信号Ｓ１０３ａ、タイマ予約時刻情報Ｓ１０３ｂあるいは基準時刻信号Ｓ１０３ｃを作製し、記録再生部１０４の操作、時刻管理回路１０５を用いたタイマ予約の設定を行う。【００４７】
２０７は発振器であり、制御回路２０３および時刻管理回路１０５を動作させる基準となる動作クロックＳ２０７を出力する。また、制御回路２０３から出力される停止信号Ｓ２０３ｄにより、発振器２０７を動作させたり、停止させたりする。【００４８】
以上のように構成された記録再生装置について、図２、図６〜図１０に示すフロー図によりその動作を説明する。【００４９】
図６は、図２のフロー図のうち、命令入力(Ｆ１０１)が電源ＯＮと電源ＯＦＦの場合を詳しく表したものである。ステップＦ１０１ａは記録再生機器２００が電源ＯＦＦ状態の場合の命令入力である。ステップＦ１０１ａの入力命令が電源ＯＮの場合、ステップＦ２０３へ、電源ＯＮの命令でない場合は、命令入力(ステップＦ１０１ａ)を繰り返す(ステップＦ２０３)。【００５０】
ステップＦ２０４では、後述の電源ＯＮ動作が行われ、記録再生機器２００は、電源ＯＮ状態となり、記録、再生等の命令を受けつけるようになる。【００５１】
ステップＦ１０１ｂの命令入力が電源ＯＦＦの場合、ステップＦ２０６の電源ＯＦＦ動作(後述Ｆ２３１〜Ｆ２３５)を行い、電源ＯＦＦ状態となる。命令入力(Ｆ１０１ｂ)が電源ＯＦＦ命令でない場合は、ステップＦ１０２の入力命令による各種動作を実行する。【００５２】
なお、ステップＦ１０２で実行される各種動作は記録、再生、停止、タイマ予約、各種設定等が有る。【００５３】
なお、本明細書における電源ＯＮ命令及び電源ＯＦＦ命令は、記録再生装置の電源スイッチあるいはリモコンで行える電源ＯＮ及び電源ＯＦＦであり、電源ＯＦＦ状態でも制御回路２０３の電源供給はされたままの状態である。【００５４】
図７は、図６における電源ＯＮ動作(ステップＦ２０４)のフローである。発振器２０７が停止している場合は、ステップＦ２１２で、停止信号Ｓ２０３ｄを解除し、発振器２０７の発振を開始させる。【００５５】
ステップＦ２１３で制御回路２０３は、再生等の各種命令を受けつけるための電源ＯＮ状態移行処理を行う。【００５６】
ステップＦ２１４で、基準時刻信号収得処理を開始する。基準時刻信号収得処理は、実施の形態１の図４、ステップＦ１２１からステップＦ１２４で説明したので説明を省略する。【００５７】
ステップＦ２１５で電源ＯＮの動作は終了する。ただし、ステップＦ２１４で開始した基準時刻信号収得処理はそのまま継続し、時刻管理回路１０５の時刻計測を開始され、基準時刻信号収得処理が終了するまで行われる。【００５８】
なお、図７では、電源ＯＮ状態移行処理(Ｆ２１３)の後に基準時刻信号収得処理開始(Ｆ２１４)が行われているが、電源ＯＮ状態移行処理(Ｆ２１３)の前、あるいは電源ＯＮ状態移行処理(Ｆ２１３)の中で基準時刻信号収得処理開始(Ｆ２１４)が行われても良い。【００５９】
図８は、図６における命令入力Ｆ１０１ｂがタイマ予約の場合についての、入力命令による各種動作実行Ｆ１０２のフローである。【００６０】
ステップＦ２２２では、予約時刻の設定を行う。予約時刻の設定は、タイマ予約時刻情報Ｓ１０３ｂを時刻管理回路２０５に設定することにより行う。設定を行う予約時刻は複数予約できるものとする。【００６１】
ステップＦ２２３では、図７の電源ＯＮ動作(ステップＦ２０４)の中で開始された基準時刻信号収得処理の終了の有無が確認され、終了していない場合は終了するまでステップＦ２２３が繰り返される。基準時刻信号収得処理の中で、時刻管理回路２０５は時刻計測を開始する。基準時刻信号収得処理の終了が確認されれば、タイマ予約の完了(Ｆ２２４)となる。【００６２】
なお、ステップＦ２２３を繰り返す場合は、基準時刻情報を収得できない旨あるいは基準時刻情報の収得を促す旨をＯＳＤあるいはアラーム音にて使用者に対して通知する。【００６３】
ステップＦ２２５では、ステップＦ２２２で設定された予約時刻と時刻管理回路１０５で計測した時刻が一致すると、タイマ動作制御信号Ｓ１０５を出力し、制御回路２０３は、記録再生部制御信号Ｓ１０３ａによって記録再生部１０４の記録、停止を行う。全予約が完了するまでステップＦ２２５を繰り返す(ステップＦ２２６)。【００６４】
全予約が完了すると、ステップＦ２２７では、制御回路２０３は停止信号Ｓ１０３ｄを発振器２０７に出力する。発振器２０７は停止信号Ｓ２０３ｄを受けて、発振を停止し、動作クロックＳ２０７の供給を停止する。動作クロックＳ２０７が止まることにより、制御回路２０３は消費電力の低下が可能となり、時刻管理回路１０５も時刻計測を停止し、消費電力の低下が実現できる。【００６５】
図９は、図６における電源ＯＦＦ動作(Ｆ１０２ｂ)のフローである。ステップＦ２３２では、制御回路２０３は電源ＯＦＦ状態移行処理を行う。【００６６】
ステップＦ２３３では、制御回路２０３は停止信号Ｓ２０３ｄを発振器２０７に出力する。発振器２０７は停止信号Ｓ２０３ｄを受けて、発振を停止し、動作クロックＳ２０７の供給を停止する。【００６７】
動作クロックＳ２０７が止まることにより、制御回路２０３は低待機電力モードとなり、時刻管理回路１０５は時刻計測を停止する。【００６８】
なお、発振器２０７が停止した後の電源ＯＮ命令の受けつけは、キー入力あるいはリモコン信号の変化点を外部入力とした割込復帰で受けつけることが出来る(特許第２６１４８７７号)。【００６９】
図２および図６〜図９に示すフローに基づけば、電源ＯＦＦ時には、制御回路２０３と時刻管理回路１０５の動作を停止できるので、待機電力を低減できる。【００７０】
また、以上の実施形態２の説明では、タイマ記録で、時刻管理回路１０５を用いて動作する回路が記録再生部１０４である場合について説明したが、記録再生部以外の回路についても同様の効果が得られる。【００７１】
また、以上の実施形態２の説明では、記録再生装置２００である場合について説明したが、記録再生装置以外でも、基準時刻信号Ｓ１０３ｃが必要に応じて得られ、時刻管理回路１０５の時刻計測を常時行う必要の無い装置であれば、同様の効果が得られる。【００７２】
（実施の形態３）
本実施の形態は、実施の形態２と同様に低待機電力モードに関する形態であり、低待機電力モードに移行する際に、基準時刻信号が収得できるか確認するステップを追加している。該ステップにて、基準時刻信号が収得できなければ、低待機電力モードへの移行を禁止する。【００７３】
本発明の実施の形態３について図２、図５、図１０〜１３を用いて説明する。【００７４】
ただし、実施の形態２と異なるタイマ予約動作、電源ＯＦＦ動作、低待機電力モード動作を中心に説明する。【００７５】
図５のように構成された記録再生装置について、図２、図１０〜図１３に示すフロー図によりその動作を説明する。【００７６】
図１０は、図２のフロー図のうち、命令入力(Ｆ１０１)が電源ＯＮ、電源ＯＦＦと停待機電力モードの場合を詳しく表したものである。ステップＦ１０１ａ、Ｆ１０１ｂ、Ｆ２０３〜Ｆ２０６については、実施の形態２で説明したので省略する。【００７７】
ステップＦ１０１ａの命令入力が、低待機電力モードの場合、ステップＦ３０８の低待機電力モード動作を実行する。【００７８】
図１１は、図１０における命令入力Ｆ１０１ｂがタイマ予約の場合についての、入力命令による各種動作実行Ｆ１０２のフローである。【００７９】
ステップＦ２２２からステップＦ２２６までは、実施の形態２で説明したので省略する。実施の形態３では、全予約が完了する(ステップＦ２２６)とタイマ予約動作は終了する(ステップＦ３１７)。【００８０】
図１２は、図１０における電源ＯＦＦ動作(Ｆ３０６)場合についてのフローである。【００８１】
ステップＦ２３２では、制御回路２０３は電源ＯＦＦ状態移行の処理を行い、記録再生装置２００は電源ＯＦＦ状態となり、電源ＯＦＦ動作は終了する(Ｆ３２３)。【００８２】
図１３は、図１０における低待機電力モード動作(Ｆ３０８)についてのフローである。【００８３】
ステップＦ３３２では、基準時刻信号収得処理を開始する。【００８４】
ステップＦ３３３では、ステップＦ３３４で開始した基準時刻信号収得処理の終了を確認し、終了していない場合は低待機電力モード動作を終了する(Ｆ３３５)。【００８５】
基準時刻信号収得処理が終了している場合は、ステップＦ３３４で制御回路２０３は停止信号Ｓ２０３ｄを発振器２０７に出力する。発振器２０７は停止信号Ｓ２０３ｄを受けて、発振を停止し、動作クロックＳ２０７の供給を停止する。動作クロックＳ２０７が止まることにより、制御回路２０３は低待機電力モードとなり、時刻管理回路１０５は時刻計測を停止し、待機電力モード動作を終了する(Ｆ３３５)。【００８６】
図１０〜図１３に示すフローに基づけば、低待機電力モードが設定されたときには、制御回路２０３と時刻管理回路１０５の動作を停止できるので、待機電力を低減できる。【００８７】
また、以上の実施形態３の説明では、ステップＦ３３２とステップＦ３３３を行わなくても低待機電力モード時に待機電力を低減できるので、ステップＦ３３２とステップＦ３３３を行わなくてもよい。【００８８】
また、以上の実施形態３の説明では、タイマ記録で、時刻管理回路１０５を用いて動作する回路が記録再生部１０４である場合について説明したが、記録再生部以外の回路についても実現でき、同様の効果が得られる。【００８９】
また、以上の実施形態３の説明では、記録再生装置２００である場合について説明したが、記録再生装置以外でも、基準時刻信号Ｓ１０３ｃが必要に応じて得られ、時刻管理回路１０５の時刻計測を常時行う必要の無い装置であれば、同様の効果が得られる。
【産業上の利用可能性】
【００９０】
本発明によれば、必要な場合のみ時刻計測を行うため、予約動作が必要な全ての機器の待機電力の低消費電力化に有効である。
【図面の簡単な説明】
【００９１】
【図１】本発明の実施の形態１に係わる記録再生装置のブロック図
【図２】本発明の実施の形態１に係わる命令入力および実行のフロー図
【図３】図２の入力命令がタイマ予約の場合の動作フロー図
【図４】本発明の実施の形態１、実施の形態２および実施の形態３に係わる基準時刻信号収得処理のフロー図
【図５】本発明の実施の形態２および実施の形態３に係わる記録再生装置のブロック図
【図６】本発明の実施の形態２に係わる命令入力および実行のフロー図
【図７】図６および図１０の電源ＯＮ動作のフロー図
【図８】図６の入力命令ｂがタイマ予約の場合の動作フロー図
【図９】図６の電源ＯＦＦ動作のフロー図
【図１０】本発明の実施の形態３に係わる命令入力および実行のフロー図
【図１１】図１０の入力命令ｂがタイマ予約の場合の動作フロー図
【図１２】図１０の電源ＯＦＦ動作のフロー図
【図１３】図１０の低待機電力モード動作のフロー図
【符号の説明】
【００９２】
１００  本発明の実施の形態１に係わる記録再生装置
１０１  キー入力回路
１０２  リモコン受信回路
１０３  本発明の実施の形態１に係わる制御回路
１０４  記録再生部
１０５  時刻管理回路
１０６  基準時刻信号を含んだ信号入力端子
２００  本発明の実施の形態２および実施の形態３に係わる記録再生装置
２０３  本発明の実施の形態２および実施の形態３に係わる制御回路
２０７  発振器
【図１】
2004343742.tif 000003
【図２】
2004343742.tif 000004
【図３】
2004343742.tif 000005
【図４】
2004343742.tif 000006
【図５】
2004343742.tif 000007
【図６】
2004343742.tif 000008
【図７】
2004343742.tif 000009
【図８】
2004343742.tif 000010
【図９】
2004343742.tif 000011
【図１０】
2004343742.tif 000012
【図１１】
2004343742.tif 000013
【図１２】
2004343742.tif 000014
【図１３】
2004343742.tif 000015